(57)【要約】【課題】  新たなユーザエクスペリエンスの情報提供インタフェース方法およびそのシステムを提供する。【解決手段】  情報提供インタフェース方法は、情報提供のための初期インタフェース画面として検索ウィンドウが含まれたホームパネルを提供する段階、ホームパネルに対する入力イベントが、ホームパネルにおいて、第１方向への移動に対応している場合には第１コンテンツパネルを、入力イベントが第１方向とは反対の方向である第２方向への移動に対応している場合には第２コンテンツパネルを提供する段階、およびホームパネルから第１または第２コンテンツパネルに移動した後の画面の一部領域に各パネル別のショートカットアイコンとともに、現在滞在中のパネルが何であるかを視覚的に表示する段階を含み、第１および第２コンテンツパネルは複数のサブページを含み、サブページそれぞれは互いに異なる種類のコンテンツを含み、サブページ間の移動が可能である。【選択図】      図４
2020187718.tif 000002
【特許請求の範囲】
【請求項１】
コンピュータシステムが実行する情報提供インタフェース方法であって、
前記コンピュータシステムは、メモリに含まれたコンピュータ読み取り可能な命令を実行するように構成される少なくとも１つのプロセッサを含み、
前記情報提供インタフェース方法は、
前記少なくとも１つのプロセッサにより、情報提供のための初期インタフェース画面として検索ウィンドウが含まれたホームパネルを提供する段階、
前記少なくとも１つのプロセッサにより、前記ホームパネルに対する入力イベントが、前記ホームパネルにおいて、第１方向への移動に対応している場合には第１コンテンツパネルを、前記入力イベントが前記第１方向とは反対の方向である第２方向への移動に対応している場合には第２コンテンツパネルを提供する段階、および
前記少なくとも１つのプロセッサにより、前記ホームパネルから前記第１コンテンツパネルまたは前記第２コンテンツパネルに移動した後の画面の一部領域に各パネル別のショートカットアイコンとともに、現在滞在中のパネルが何であるかを視覚的に表示する段階
を含み、
前記第１コンテンツパネルと前記第２コンテンツパネルは複数のサブページを含み、前記サブページそれぞれは互いに異なる種類のコンテンツを含み、サブページ間の移動が可能である、
情報提供インタフェース方法。
【請求項２】
前記第１コンテンツパネルまたは前記第２コンテンツパネルを提供する段階は、
右側から左側方向へのスワイプ入力によって前記ホームパネルから前記第１コンテンツパネルに移動し、前記第１コンテンツパネルの所定の順に並ぶサブページのうち一方端のサブページから他方端のサブページへ順に移動する段階、および
左側から右側方向へのスワイプ入力によって前記ホームパネルから前記第２コンテンツパネルに移動し、前記第２コンテンツパネルの所定の順に並ぶサブページのうち一方端のサブページから他方端のサブページへ順に移動する段階
を含む、請求項１に記載の情報提供インタフェース方法。
【請求項３】
前記第１コンテンツパネルまたは前記第２コンテンツパネルを提供する段階は、
前記第１コンテンツパネルと前記第２コンテンツパネルのうちのいずれか１つのコンテンツパネルの最後のサブページで以前と同じ方向へのスワイプが入力されると、他のコンテンツパネルの最後のサブページに移動し、後続の同一方向のスワイプに応じてサブページを順に移動する段階
を含む、請求項２に記載の情報提供インタフェース方法。
【請求項４】
前記パネル別のショートカットアイコンは、他のパネルや他のサブページを経由せずに該当のパネルへの即移動を支援する、
請求項１に記載の情報提供インタフェース方法。
【請求項５】
前記第１コンテンツパネルと前記第２コンテンツパネルに含まれるサブページは、ユーザ設定によって決定される、
請求項１に記載の情報提供インタフェース方法。
【請求項６】
前記第１コンテンツパネルと前記第２コンテンツパネルに含まれるサブページの表示順は、ユーザ設定によって決定される、
請求項１に記載の情報提供インタフェース方法。
【請求項７】
前記表示する段階は、
前記第１コンテンツパネルまたは前記第２コンテンツパネルに含まれるサブページが表示される場合、画面の下端領域に、前記ホームパネルへの即移動が可能なホームアイコン、前記第１コンテンツパネルへの即移動が可能な第１アイコン、および前記第２コンテンツパネルへの即移動が可能な第２アイコンを提供するとともに、現在滞在中のパネルのアイコンを他のアイコンと区分されるように強調して表示する、
請求項１に記載の情報提供インタフェース方法。
【請求項８】
前記表示する段階は、
前記第１アイコンを利用して前記第１コンテンツパネルに移動する場合、又は前記第２アイコンを利用して前記第２コンテンツパネルに移動する場合、該当のコンテンツパネルのサブページのうちで１番目に設定されたサブページに移動する段階
を含む、請求項７に記載の情報提供インタフェース方法。
【請求項９】
前記表示する段階は、
前記第１コンテンツパネルまたは前記第２コンテンツパネルに含まれるサブページが表示される場合、画面の上端領域に現在滞在中のパネルのサブページリストを表示し、サブページ間を移動するときに、複数のサブページのうち現在のサブページに該当する位置に自動ポジショニングされるバー（ｂａｒ）を表示する段階
を含む、請求項１に記載の情報提供インタフェース方法。
【請求項１０】
前記ホームパネルは、下端領域にインタラクションボタンであるホームボタンを含み、
前記ホームパネルを提供する段階は、
前記ホームパネルで前記ホームボタンが入力されると、前記ホームパネル上に、音声検索とイメージ検索を含むマルチ検索領域およびサービスページやサブページへの即移動を提供するためのショートカット領域のうちの少なくとも１つを提供する段階
をさらに含む、請求項１に記載の情報提供インタフェース方法。
【請求項１１】
請求項１〜１０のうちのいずれか一項に記載の情報提供インタフェース方法を前記コンピュータシステムに実行させる、コンピュータプログラム。
【請求項１２】
コンピュータシステムであって、
メモリに含まれるコンピュータ読み取り可能な命令を実行するように構成された少なくとも１つのプロセッサ
を含み、
前記少なくとも１つのプロセッサは、
情報提供のための初期インタフェース画面として検索ウィンドウが含まれたホームパネルを提供し、
前記ホームパネルに対する入力イベントが、前記ホームパネルにおいて、第１方向への移動に対応している場合には第１コンテンツパネルを、前記入力イベントが前記第１方向とは反対の方向である第２方向への移動に対応している場合には第２コンテンツパネルを提供し、
前記ホームパネルから前記第１コンテンツパネルまたは前記第２コンテンツパネルに移動した後の画面の一部領域に各パネル別のショートカットアイコンとともに、現在滞在中のパネルが何であるかを視覚的に表示し、
前記第１コンテンツパネルと前記第２コンテンツパネルは複数のサブページを含み、前記サブページそれぞれは互いに異なる種類のコンテンツを含み、サブページ間の移動が可能である、
コンピュータシステム。
【請求項１３】
前記少なくとも１つのプロセッサは、
右側から左側方向へのスワイプ入力によって前記ホームパネルから前記第１コンテンツパネルに移動し、前記第１コンテンツパネルの所定の順に並ぶサブページのうち一方端のサブページからサブページへ順に移動し、
左側から右側方向へのスワイプ入力によって前記ホームパネルから前記第２コンテンツパネルに移動し、前記第２コンテンツパネルの所定の順に並ぶサブページのうち一方端のサブページからサブページへ順に移動する、
請求項１２に記載のコンピュータシステム。
【請求項１４】
前記少なくとも１つのプロセッサは、
前記第１コンテンツパネルと前記第２コンテンツパネルのうちのいずれか１つのコンテンツパネルの最後のサブページで以前と同じ方向のスワイプが入力されると、他のコンテンツパネルの最後のサブページに移動し、後続の同一方向のスワイプに応じてサブページを順に移動する、
請求項１３に記載のコンピュータシステム。
【請求項１５】
前記パネル別のショートカットアイコンは、他のパネルや他のサブページを経由せずに該当のパネルへの即移動を支援する、
請求項１２に記載のコンピュータシステム。
【請求項１６】
前記第１コンテンツパネルと前記第２コンテンツパネルに含まれるサブページの表示順は、ユーザ設定によって決定される、
請求項１２に記載のコンピュータシステム。
【請求項１７】
前記少なくとも１つのプロセッサは、
前記第１コンテンツパネルまたは前記第２コンテンツパネルに含まれるサブページが表示される場合、画面の下端領域に、前記ホームパネルへの即移動が可能なホームアイコン、前記第１コンテンツパネルへの即移動が可能な第１アイコン、および前記第２コンテンツパネルへの即移動が可能な第２アイコンを提供するとともに、現在滞在中のパネルのアイコンを他のアイコンと区分されるように強調して表示する、
請求項１２に記載のコンピュータシステム。
【請求項１８】
前記少なくとも１つのプロセッサは、
前記第１アイコンを利用して前記第１コンテンツパネルに移動する場合、又は前記第２アイコンを利用して前記第２コンテンツパネルに移動する場合、該当のコンテンツパネルのサブページのうちで１番目に設定されたサブページに移動する、
請求項１７に記載のコンピュータシステム。
【請求項１９】
前記少なくとも１つのプロセッサは、
前記第１コンテンツパネルまたは前記第２コンテンツパネルに含まれるサブページが表示される場合、画面の上端領域に現在滞在中のパネルのサブページリストを表示し、サブページ間を移動するときに、複数のサブページのうち現在のサブページに該当する位置に自動ポジショニングされるバー（ｂａｒ）を表示する、
請求項１２に記載のコンピュータシステム。
【請求項２０】
前記ホームパネルは、下端領域にインタラクションボタンであるホームボタンを含み、
前記少なくとも１つのプロセッサは、
前記ホームパネルで前記ホームボタンが入力されると、前記ホームパネル上に、音声検索とイメージ検索を含むマルチ検索領域およびサービスページやサブページへの即移動を提供するためのショートカット領域のうちの少なくとも１つを提供する、
請求項１２に記載のコンピュータシステム。
【発明の詳細な説明】
【技術分野】
【０００１】
以下の説明は、新たなユーザエクスペリエンス（ＵＸ）の情報提供インタフェースを実現する技術に関する。
【背景技術】
【０００２】
情報通信技術の飛躍的な発展により、移動通信端末やパーソナルコンピュータなどのような多種類の端末は、多様な機能を実行できるように実現されるようになった。
【０００３】
例えば、最近の移動通信端末は、基本的な音声通話機能の他に、データ通信、カメラを利用した写真や動画の撮影、音楽または動画ファイルの再生、ゲーム、番組視聴などのような多様な機能を利用できるように実現されている。
【０００４】
このような多様な機能の実現によってポータルサイト（ｐｏｒｔａｌ  ｓｉｔｅ）が提供する機能も多様化するようになり、これによってユーザがポータルサイトに滞在する時間が次第に増加するようになった。
【０００５】
一般的に、ポータルサイトは、多様なコンテンツを複合的に提供するインターネットサイトであって、メール機能や検索機能による各種テキスト情報などのコンテンツの提供はもちろん、最近ではニュース情報、ショッピング情報、運勢情報、天気情報、メディア情報、ブログサービス、知識情報サービス、より強化した検索機能などのような多様なコンテンツが提供されるようになった。
【０００６】
このようなポータルサイトは、広範囲なコンテンツが提供されることから、より効率的なインタフェース技術が求められている。
【０００７】
例えば、特許文献１（公開日２０１８年０５月０４日）には、ポータルページから離脱せずに必要とする情報を迅速に確認することができるポータルページ提供装置および方法が開示されている。
【先行技術文献】
【特許文献】
【０００８】
【特許文献１】韓国公開特許第１０−２０１８−００４５６１６号公報
【発明の概要】
【発明が解決しようとする課題】
【０００９】
新たなユーザエクスペリエンス（ＵＸ）の情報提供インタフェースのための方法およびシステムを提供する。
【００１０】
画面間のより立体的な連結が可能な情報提供インタフェース方法およびシステムを提供する。
【００１１】
より多様なインタラクション（ｉｎｔｅｒａｃｔｉｏｎ）をもたらす情報提供インタフェースのための方法およびシステムを提供する。
【課題を解決するための手段】
【００１２】
コンピュータシステムが実行する情報提供インタフェース方法であって、前記コンピュータシステムは、メモリに含まれるコンピュータ読み取り可能な命令を実行するように構成された少なくとも１つのプロセッサを含み、前記情報提供インタフェース方法は、前記少なくとも１つのプロセッサにより、情報提供のための初期インタフェース画面として検索ウィンドウが含まれたホームパネルを提供する段階、前記少なくとも１つのプロセッサにより、前記ホームパネルに対する入力イベントが、前記ホームパネルにおいて、第１方向への移動に対応している場合には第１コンテンツパネルを、前記入力イベントが前記第１方向とは反対の方向である第２方向への移動に対応している場合には第２コンテンツパネルを提供する段階、および前記少なくとも１つのプロセッサにより、前記ホームパネルから前記第１コンテンツパネルまたは前記第２コンテンツパネルに移動した後の画面の一部領域に各パネル別のショートカットアイコンプとともに、現在滞在中のパネルが何であるかを視覚的に表示する段階を含み、前記第１コンテンツパネルと前記第２コンテンツパネルは複数のサブページを含み、前記サブページそれぞれは互いに異なる種類のコンテンツを含み、サブページ間の移動が可能である、情報提供インタフェース方法を提供する。
【００１３】
一側面によると、前記第１コンテンツパネルまたは前記第２コンテンツパネルを提供する段階は、右側から左側方向へのスワイプ入力によって前記ホームパネルから前記第１コンテンツパネルに移動し、前記第１コンテンツパネルの所定の順に並ぶサブページのうち一方端（例えば、一番左側）のサブページから他方端のサブページへ順に移動する段階、および左側から右側方向へのスワイプ入力によって前記ホームパネルから前記第２コンテンツパネルに移動し、前記第２コンテンツパネルの所定の順に並ぶサブページのうち一方端（例えば、一番右側）のサブページから他方端のサブページへ順に移動する段階を含んでよい。
【００１４】
他の側面によると、前記第１コンテンツパネルまたは前記第２コンテンツパネルを提供する段階は、前記第１コンテンツパネルと前記第２コンテンツパネルのうちのいずれか１つのコンテンツパネルの最後のサブページで以前と同じ方向のスワイプが入力されると、他のコンテンツパネルの最後のサブページに移動し、後続の同一方向のスワイプに応じてサブページを順に移動する段階を含んでよい。
【００１５】
また他の側面によると、前記パネル別のショートカットアイコンは、他のパネルや他のサブページを経由せずに該当のパネルへの即移動を支援してよい。
【００１６】
また他の側面によると、前記第１コンテンツパネルと前記第２コンテンツパネルに含まれるサブページは、ユーザ設定によって決定されてよい。
【００１７】
また他の側面によると、前記第１コンテンツパネルと前記第２コンテンツパネルに含まれるサブページの表示順は、ユーザ設定によって決定されてよい。
【００１８】
また他の側面によると、前記表示する段階は、前記第１コンテンツパネルまたは前記第２コンテンツパネルに含まれるサブページが表示される場合、画面の下端領域に前記ホームパネルへの即移動が可能なホームアイコン、前記第１コンテンツパネルへの即移動が可能な第１アイコン、および前記第２コンテンツパネルへの即移動が可能な第２アイコンを提供するとともに、現在滞在中のパネルのアイコンを他のアイコンと区分されるように強調して表示してよい。
【００１９】
また他の側面によると、前記表示する段階は、前記第１アイコンを利用して前記第１コンテンツパネルに移動する場合、又は前記第２アイコンを利用して前記第２コンテンツパネルに移動する場合、該当のコンテンツパネルのサブページのうち１番目として設定されたサブページに移動する段階を含んでよい。
【００２０】
また他の側面によると、前記表示する段階は、前記第１コンテンツパネルまたは前記第２コンテンツパネルに含まれるサブページが表示される場合、画面の上端領域に現在滞在中のパネルのサブページリストを表示し、サブページの移動時には、複数のサブページのうち現在のサブページに該当する位置に自動ポジショニングされるバー（ｂａｒ）を表示する段階を含んでよい。
【００２１】
さらに他の側面によると、前記ホームパネルは、下端領域にインタラクションボタンであるホームボタンを含み、前記ホームパネルを提供する段階は、前記ホームパネルで前記ホームボタンが入力されると、前記ホームパネル上に、音声検索とイメージ検索を含むマルチ検索領域およびサービスページやサブページへの即移動を提供するためのショートカット領域のうちの少なくとも１つを提供する段階をさらに含んでよい。
【００２２】
前記情報提供インタフェース方法を前記コンピュータシステムに実行させるために非一時的なコンピュータ読み取り可能な記録媒体に記録されたコンピュータプログラムを提供する。
【００２３】
コンピュータシステムであって、メモリに含まれたコンピュータ読み取り可能な命令を実行するように構成される少なくとも１つのプロセッサを含み、前記少なくとも１つのプロセッサは、情報提供のための初期インタフェース画面として検索ウィンドウが含まれたホームパネルを提供し、前記ホームパネルに対する入力イベントが、前記ホームパネルにおいて、第１方向への移動に対応している場合には第１コンテンツパネルを、前記入力イベントが前記第１方向とは反対の方向である第２方向への移動に対応している場合には第２コンテンツパネルを提供し、前記ホームパネルから前記第１コンテンツパネルまたは前記第２コンテンツパネルに移動した後の画面の一部領域に各パネル別のショートカットアイコンとともに、現在滞在中のパネルが何であるかを視覚的に表示し、前記第１コンテンツパネルと前記第２コンテンツパネルは複数のサブページを含み、前記サブページそれぞれは互いに異なる種類のコンテンツを含み、サブページ間の移動が可能である、コンピュータシステムを提供する。
【図面の簡単な説明】
【００２４】
【図１】本発明の一実施形態における、コンピュータシステムの内部構成の一例を説明するためのブロック図である。
【図２】本発明の一実施形態における、コンピュータシステムのプロセッサが含むことのできる構成要素の例を示した図である。
【図３】本発明の一実施形態における、コンピュータシステムが実行することのできる情報提供インタフェース方法の例を示したフローチャートである。
【図４】本発明の一実施形態における、情報提供インタフェースの一例を説明するための例示図である。
【図５】本発明の一実施形態における、ホームパネルの一例を説明するための例示図である。
【図６】本発明の一実施形態における、ホームパネルの一例を説明するための例示図である。
【図７】本発明の一実施形態における、ホームパネルから第１方向への移動によって表示される第１コンテンツパネルの一例を説明するための例示図である。
【図８】本発明の一実施形態における、ホームパネルから第２方向への移動によって表示される第２コンテンツパネルの一例を説明するための例示図である。
【図９】本発明の一実施形態における、ホームパネルから第１方向への移動によって表示される第１コンテンツパネルの一例を説明するための例示図である。
【図１０】本発明の一実施形態における、ホームパネルから第２方向への移動によって表示される第２コンテンツパネルの一例を説明するための例示図である。
【発明を実施するための形態】
【００２５】
以下、本発明の実施形態について、添付の図面を参照しながら詳細に説明する。
【００２６】
本発明の実施形態は、新たなユーザエクスペリエンスの情報提供インタフェースに関する。
【００２７】
本明細書において具体的に開示される事項などを含む実施形態は、画面間に立体的な連結と多様なインタラクションが可能な情報提供インタフェースを提供することができ、これによって多様性、連結性、アクセス性、効率性、利便性、費用節減などの側面において相当な長所を達成することができる。
【００２８】
図１は、本発明の一実施形態における、コンピュータシステムの内部構成の例を示した図である。
【００２９】
図１は、本発明の一実施形態における、コンピュータシステムの内部構成の例を示した図である。例えば、本発明の実施形態に係る情報提供インタフェースシステムは、図１のコンピュータシステム１００によって実現されてよい。このようなコンピュータシステム１００は、図１に示すように、以下で説明する情報提供インタフェース方法を実行するための構成要素として、メモリ１１０、プロセッサ１２０、通信インタフェース１３０、および入力／出力インタフェース１４０を含んでよい。
【００３０】
メモリ１１０は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永続的大容量記録装置を含んでよい。ここで、ＲＯＭやディスクドライブのような永続的大容量記録装置は、メモリ１１０とは区分される別の永続的記録装置としてコンピュータシステム１００に含まれてもよい。また、メモリ１１０には、オペレーティングシステムと、少なくとも１つのプログラムコードが記録されてよい。このようなソフトウェア構成要素は、メモリ１１０とは別のコンピュータ読み取り可能な記録媒体からメモリ１１０にロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信インタフェース１３０を通じてメモリ１１０にロードされてもよい。例えば、少なくとも１つの構成要素は、ネットワーク１７０を介して受信されるファイルによってインストールされるコンピュータプログラムに基づいてコンピュータシステム１００のメモリ１１０にロードされてよい。
【００３１】
プロセッサ１２０は、基本的な算術、ロジック、および入出力演算を実行することにより、コンピュータプログラムの命令を処理するように構成されてよい。命令は、メモリ１１０または通信インタフェース１３０によって、プロセッサ１２０に提供されてよい。例えば、プロセッサ１２０は、メモリ１１０のような記録装置に記録されたプログラムコードにしたがって受信される命令を実行するように構成されてよい。
【００３２】
通信インタフェース１３０は、ネットワーク１６０を介してコンピュータシステム１００が他の装置（一例として、上述した記録装置）と通信するための機能を提供してよい。一例として、コンピュータシステム１００のプロセッサ１２０がメモリ１１０のような記録装置に記録されたプログラムコードにしたがって生成した要求や命令、データ、ファイルなどが、通信インタフェース１３０の制御にしたがってネットワーク１６０を介して他の装置に伝達されてよい。これとは逆に、他の装置からの信号や命令、データ、ファイルなどが、ネットワーク１６０を経てコンピュータシステム１００の通信インタフェース１３０を通じてコンピュータシステム１００に受信されてよい。例えば、通信インタフェース１３０を通じて受信された信号や命令、データなどは、プロセッサ１２０やメモリ１１０に伝達されてよく、ファイルなどは、コンピュータシステム１００がさらに含むことのできる記録媒体（上述した永続的記録装置）に記録されてよい。
【００３３】
入力／出力インタフェース１４０は、入力／出力装置１５０とのインタフェースのための手段であってよい。例えば、入力装置は、マイクやキーボードなどの装置を、出力装置は、ディスプレイやスピーカのような装置を含んでよい。他の例として、入力／出力インタフェース１４０は、タッチスクリーンのように入力と出力のための機能が１つに統合された装置とのインタフェースのための手段であってもよい。入力／出力装置１５０は、コンピュータシステム１００と１つの装置で構成されてもよい。
【００３４】
また、他の実施形態において、コンピュータシステム１００は、図１の構成要素よりも少ないか多くの構成要素を含んでもよい。しかし、大部分の従来技術的構成要素を明確に図に示す必要はない。例えば、コンピュータシステム１００は、上述した入力／出力装置２１５のうちの少なくとも一部を含むように実現されてもよいし、トランシーバやデータベースなどのような他の構成要素をさらに含んでもよい。
【００３５】
また、本発明の実施形態に係る方法は、多様なコンピュータシステムによって実行されるプログラム命令（ｉｎｓｔｒｕｃｔｉｏｎ）形態で実現されてコンピュータ読み取り可能媒体に記録されてよい。
【００３６】
本実施形態に係るプログラムは、ＰＣ基盤のプログラムまたはモバイル端末専用のアプリケーションで構成されてよい。本実施形態における情報提供のためのアプリは、独立的に動作するプログラム形態で実現されてもよいし、特定のアプリケーションのイン−アプリ（ｉｎ−ａｐｐ）形態で構成されて前記特定のアプリケーション上で動作が可能なように実現されてもよい。
【００３７】
また、本発明の実施形態に係る方法は、検索サービスを含むポータルサービスプラットフォームを提供するサーバーシステムと関連するアプリケーションが、ユーザ端末を制御して実行されてよい。一例として、このようなアプリケーションは、ポータルサービスのためのインタフェースを提供するようにユーザ端末を制御するモジュールを含んでよい。また、このようなアプリケーションは、ファイル配布システムが提供するファイルによってユーザ端末にインストールされてよい。一例として、ファイル配布システムは、ユーザ端末の要求にしたがって前記ファイルを送信するファイル送信部（図示せず）を含んでよい。
【００３８】
以下、新たなユーザエクスペリエンスの情報提供インタフェース方法およびそのシステムの具体的な実施形態について説明する。
【００３９】
図２は、本発明の一実施形態における、コンピュータシステムのプロセッサが含むことのできる構成要素の例を示した図であり、図３は、本発明の一実施形態における、コンピュータシステムが実行することのできる情報提供インタフェース方法の例を示したフローチャートである。
【００４０】
図２に示すように、プロセッサ１２０は、感知部２０１およびインタフェース部２０２を含んでよい。このようなプロセッサ１２０の構成要素は、少なくとも１つのプログラムコードによって提供される制御命令にしたがってプロセッサ１２０によって実行される互いに異なる機能（ｄｉｆｆｅｒｅｎｔ  ｆｕｎｃｔｉｏｎｓ）の表現であってよい。例えば、プロセッサ１２０がユーザによる入力イベントを感知するようにコンピュータシステム１００を制御するために動作する機能的表現として、感知部２０１が使用されてよい。
【００４１】
プロセッサ１２０およびプロセッサ１２０の構成要素は、図３の情報提供インタフェース方法が含む段階３１０〜３３０を実行してよい。例えば、プロセッサ１２０およびプロセッサ１２０の構成要素は、メモリ１１０が含むオペレーティングシステムのコードと上述した少なくとも１つのプログラムコードとによる命令（ｉｎｓｔｒｕｃｔｉｏｎ）を実行するように実現されてよい。ここで、少なくとも１つのプログラムコードは、情報提供インタフェース方法を処理するために実現されたプログラムのコードに対応してよい。
【００４２】
情報提供インタフェース方法は、必ずしも図に示す順のとおりに発生しなくてもよく、段階のうちの一部が省略又は順序変更されてもよいし、追加の過程がさらに含まれてもよい。
【００４３】
プロセッサ１２０は、コンピュータシステム１００の制御と関連する命令がロードされたメモリ１１０から必要な命令を読み取ってよい。この場合、前記読み取った命令には、以下で説明する段階３１０〜３３０をプロセッサ１１０が実行するように制御するための命令が含まれてよい。このとき、プロセッサ１２０およびプロセッサ１２０が含む感知部２０１およびインタフェース部２０２それぞれは、メモリ１１０にロードされたプログラムコードのうちの対応する部分の命令を実行して以下の段階３１０〜３３０を実行するためのプロセッサ１２０の互いに異なる機能的表現であってよい。段階３１０〜３３０の実行のために、プロセッサ１２０およびプロセッサ１２０の構成要素は、制御命令による演算を直接処理してもよいし、コンピュータシステム１００を制御してもよい。
【００４４】
感知部２０１は、コンピュータシステム１００に対するユーザのタッチやモーションなどに基づいてユーザによる入力イベントを感知する役割を担うものである。一例として、コンピュータシステム１００がタッチスクリーンを備える場合、感知部２０１は、ユーザによるタッチ地点、連続するタッチジェスチャなどを入力イベントとして感知してよい。他の例として、コンピュータシステム１００がカメラ、モーションセンサ、赤外線センサ、およびイメージセンサなどのように動きの感知が可能な１つ以上の手段を備える場合、感知部２０１は、ユーザの動きからなる特定の動作を入力イベントとして感知してよい。
【００４５】
インタフェース部２０２は、情報提供のためのユーザインタフェースを実行する役割を担うものであるが、このとき、ユーザによる入力イベントに対応して情報提供インタフェースを制御してよい。
【００４６】
具体的に、図３を参照すると、段階３１０で、インタフェース部２０２は、情報提供のための初期インタフェース画面として検索ウィンドウが含まれたホーム画面（以下、「ホームパネル」と称する）を提供してよい。
【００４７】
段階３２０で、インタフェース部２０２は、ホームパネルに対する入力イベントに応対し、ホームパネルでの第１方向への移動によりコンテンツ画面（以下、「第１コンテンツパネル」と称する）をまたは第１方向とは反対の方向である第２方向への移動によりコンテンツ画面（以下、「第２コンテンツパネル」と称する）を提供してもよい。一例として、画面を切り替えるためのジェスチャとしてスワイプ（ｓｗｉｐｅ）ジェスチャが適用されてよく、例えば、インタフェース部２０２は、ユーザがホームパネルで右側から左側にスワイプすると、第１コンテンツパネルを提供し、これとは反対に左側から右側にスワイプすると、第２コンテンツパネルを提供してもよい。
【００４８】
段階３３０で、インタフェース部２０２は、ホームパネルから第１コンテンツパネルまたは第２コンテンツパネルに移動するとき、該当のコンテンツパネルに含まれるサブページのうちのいずれか１つのサブページを表示してよく、このとき、画面の一部領域、一例として、下端領域に各パネル別のショートカット（ｓｈｏｒｔ  ｃｕｔ）アイコンを提供するとともに、現在滞在中のパネルのショートカットアイコンを強調して表示してよい。言い換えれば、インタフェース部２０２は、第１コンテンツパネルまたは第２コンテンツパネルに含まれるサブページが表示される場合、該当の画面の下端領域に、ホームパネルへの即移動が可能なショートカットアイコン（以下、「ホームボタン」と称する）、第１コンテンツパネルへの即移動が可能なショートカットアイコン（以下、「第１アイコン」と称する）、第２コンテンツパネルへの即移動が可能なショートカットアイコン（以下、「第２アイコン」と称する）を提供してよい。このとき、第１コンテンツパネルに含まれるサブページが表示される場合には、第１アイコンを他のアイコンと区分されるように強調して表示することにより、画面の下端領域によって第１コンテンツパネルに現在滞在中であることを視覚的に示してよい。一例として第１コンテンツパネルから、ホームボタンを利用してホームパネルに直ぐに移動が可能であってもよく、別の例として、第２アイコンを利用して第２コンテンツパネルに直ぐに移動が可能であってもよい。同じように、第２コンテンツパネルに含まれるサブページが表示される場合には、第２アイコンを他のアイコンと区分されるように強調して表示することにより、画面の下端領域によって第２コンテンツパネルに現在滞在中であることを視覚的に示してよい。第２コンテンツパネルから、ホームボタンを利用してホームパネルに直ぐに移動が可能であるし、第１アイコンを利用して第１コンテンツパネルに直ぐに移動が可能である。
【００４９】
図４は、本発明の一実施形態における、情報提供インタフェースの一例を説明するための例示図である。
【００５０】
図４を参照すると、本発明に係る情報提供インタフェース４００は、ホームパネル４１０、ホームパネル４１０で右側から左側方向へのスワイプによって表示される第１コンテンツパネル４２０、およびホームパネル４１０で左側から右側方向へのスワイプによって表示される第２コンテンツパネル４３０を含んでよい。
【００５１】
一例として、ホームパネル４１０は単一ページで構成され、第１コンテンツパネル４２０と第２コンテンツパネル４３０は、複数のサブページで構成されてよい。
【００５２】
第１コンテンツパネル４２０と第２コンテンツパネル４３０に含まれるサブページそれぞれは、互いに異なる種類のコンテンツを含み、サブページ間ではスワイプジェスチャに対応する方向への移動が可能である。
【００５３】
説明の便宜のために、第１コンテンツパネル４２０は３つのサブページＰ１１、Ｐ１２、Ｐ１３で構成され、第２コンテンツパネル４３０も同じように３つのサブページＰ２１、Ｐ２２、Ｐ２３で構成されることとする。
【００５４】
第１コンテンツパネル４２０と第２コンテンツパネル４３０に含まれるサブページは事前に定められていてよく、他の例としては、ユーザ設定によって選択的に定められてもよい。さらに、サブページの表示順は事前に定められていてよく、他の例としては、ユーザ設定によって定められてもよい。
【００５５】
図５と図６は、本発明の一実施形態におけるホームパネルの一例を説明するための例示図である。
【００５６】
図５を参照すると、インタフェース部２０２は、情報提供のための初期インタフェース画面でホームパネル４１０を提供してよい。
【００５７】
ホームパネル４１０には、検索語やＵＲＬなどがクエリとして入力されるようにする検索ウィンドウ５０１が含まれてよく、このとき、検索ウィンドウ５０１は、入力基盤の検索アイコンで構成されてよい。
【００５８】
また、ホームパネル４１０の領域には、タッチ基盤のインタラクションボタンとしてホームボタン５０２がさらに含まれてよい。
【００５９】
ホームパネル４１０でホームボタン５０２を選択する場合、図６に示すように、ホームパネル４１０上には、ＱＲコード（登録商標）を利用した決済、イメージ検索、音楽検索、音声検索、地図検索などを含むマルチ検索領域６１０と、サービスページやサブページへの移動を提供するためのショートカット領域６２０のうちの少なくとも１つが提供されてよい。
【００６０】
マルチ検索領域６１０とショートカット領域６２０に含まれる機能は、事前に定められていてもよいし、ユーザ設定によって決定されてもよい。
【００６１】
マルチ検索領域６１０とショートカット領域６２０に含まれる各機能のアイコンは、ホームボタン５０２を中心に円形に配列されてよく、マルチ検索領域６１０とショートカット領域６２０のうちの少なくとも１つに関し、該当の円形領域に沿ってタッチ基盤の回転スクロールが可能である。
【００６２】
マルチ検索領域６１０とショートカット領域６２０が展開された状態のホームパネル４１０でホームボタン５０２が再び選択される場合、図５に示すように、マルチ検索領域６１０とショートカット領域６２０が隠されるようになり、検索ウィンドウ５０１が再びアクティブにされてよい。
【００６３】
図５に示されるように、ホームパネル４１０の下端領域には、第１コンテンツパネル４２０への即移動が可能な第１アイコン５０３と、第２コンテンツパネル４３０への即移動が可能な第２アイコン５０４がさらに含まれてよい。
【００６４】
インタフェース部２０２は、ホームパネル４１０で第１アイコン５０３が入力されるか、又は右側から左側方向へのスワイプが入力される場合、第１コンテンツパネル４２０を提供してよい。
【００６５】
図７に示されるように、ホームパネル４１０から第１コンテンツパネル４２０に移動すると、第１コンテンツパネル４２０に含まれるサブページのうちで１番目に設定されたサブページＰ１１が提供されてよい。
【００６６】
第１コンテンツパネル４２０では、画面の上端領域に第１コンテンツパネル４２０に含まれるサブページリスト７１１が表示され、バー７１２によって現在滞在中のサブページを指示してよい。
【００６７】
第１コンテンツパネル４２０は、右側から左側方向へのスワイプ入力により、１番目のサブページＰ１１、２番目のサブページＰ１２、３番目のサブページＰ１３の順に移動するようになる。言い換えれば、この例では、第１コンテンツパネル４２０は、一番左側のサブページから始まって右側方向にページが順に移動する。
【００６８】
一方、インタフェース部２０２は、ホームパネル４１０で第２アイコン５０４が入力されるか、左側から右側方向へのスワイプが入力される場合、第２コンテンツパネル４３０を提供してよい。
【００６９】
図８に示されるように、ホームパネル４１０から第２コンテンツパネル４３０に移動すると、第２コンテンツパネル４３０に含まれるサブページのうちで１番目に設定されたサブページＰ２１を提供してよい。
【００７０】
第２コンテンツパネル４３０では、画面の上端領域に第２コンテンツパネル４３０に含まれるサブページリスト８１１が表示され、バー８１２によって現在滞在中のサブページを指示してよい。
【００７１】
第２コンテンツパネル４３０は、左側から右側方向へのスワイプ入力により、１番目のサブページＰ２１、２番目のサブページＰ２２、３番目のサブページＰ２３の順に移動するようになる。言い換えれば、この例では、第２コンテンツパネル４３０は、一番右側のサブページから始まって左側方向にページが順に移動する。
【００７２】
また、インタフェース部２０２は、第１コンテンツパネル４２０と第２コンテンツパネル４３０のうちのいずれか一方の画面の最後として設定されたサブページで以前と同じ方向のスワイプが入力されると、第１コンテンツパネル４２０と第２コンテンツパネル４３０のうちの他方の画面の最後として設定されたサブページに移動するようになる。
【００７３】
言い換えれば、インタフェース部２０２は、ホームパネル４１０、第１コンテンツパネル４２０、第２コンテンツパネル４３０を含むサイクルで画面間の移動を支援することができる。
【００７４】
図９に示すように、右側から左側方向へのスワイプ入力によってホームパネル４１０から第１コンテンツパネル４２０に移動し、（例えば昇順に）第１コンテンツパネル４２０の最後のサブページＰ１３まで到達した状態で同じ方向のスワイプが入力されると、第２コンテンツパネル４３０に移動し、第２コンテンツパネル４３０の最後として設定されたサブページＰ２３から反対方向に（例えば降順に）ページが移動するサイクルで画面が移動する。
【００７５】
これとは反対に、図１０に示すように、左側から右側方向へのスワイプ入力によってホームパネル４１０から第２コンテンツパネル４３０に移動し、（例えば昇順に）第２コンテンツパネル４３０の最後のサブページＰ２３まで到達した状態で同じ方向のスワイプが入力されると、第１コンテンツパネル４２０に移動し、第１コンテンツパネル４２０の最後として設定されたサブページＰ１３から反対方向に（例えば降順に）ページが移動するサイクルで画面が移動する。
【００７６】
再び図７と図８を参照すると、第１コンテンツパネル４２０と第２コンテンツパネル４３０は、下端領域に、ホームパネル４１０への即移動が可能なホームボタン５０２、第１コンテンツパネル４２０への即移動が可能な第１アイコン５０３、第２コンテンツパネル４３０への即移動が可能な第２アイコン５０４が表示されてよい。ここで、即移動とは、他のパネルやサブページを経由せずにアイコンを利用して該当のパネルに即時に移動することを意味する。
【００７７】
現在滞在中の画面が第１コンテンツパネル４２０のサブページに該当する場合（図７）、第１アイコン５０３は他のアイコン５０２、５０４よりも強調されて表示されてよい。同じように、現在滞在中の画面が第２コンテンツパネル４３０のサブページに該当する場合（図８）、第２アイコン５０４は、他のアイコン５０２、５０３よりも強調されて表示されてよい。
【００７８】
第１コンテンツパネル４２０のサブページが表示された状態で第２アイコン５０４を入力する場合、第２コンテンツパネル４３０に直ぐに移動可能である一方、第２コンテンツパネル４３０のサブページが表示された状態で第１アイコン５０３を入力する場合、第１コンテンツパネル４２０に直ぐに移動可能である。
【００７９】
第２コンテンツパネル４３０で第１アイコン５０３を利用して第１コンテンツパネル４２０に即移動した場合、あるいは第１コンテンツパネル４２０で第２アイコン５０４を利用して第２コンテンツパネル４３０に即移動した場合、該当のコンテンツパネルのサブページのうちで１番目に設定されたサブページに移動するようになる。
【００８０】
同じように、第１コンテンツパネル４２０の２番目以後のサブページが表示された状態で第１アイコン５０３が入力されると、第１コンテンツパネル４２０の最初のサブページに直ぐに移動可能であり、第２コンテンツパネル４３０の２番目以後のサブページが表示された状態で第２アイコン５０４が入力されると、第２コンテンツパネル４３０の最初のサブページに直ぐに移動可能である。
【００８１】
第１コンテンツパネル４２０と第２コンテンツパネル４３０では、画面の上端領域に表示されるバー７１２、８１２の位置が現在滞在中のサブページに該当する位置に自動ポジショニングされる。
【００８２】
単一コンテンツパネルで構成された複数のページを両方向のスワイプによってページを移動させるものが一般的であるが、本発明に係る情報提供インタフェースは、ホームパネル４１０を基準とし、第１方向のスワイプ入力に対しては第１コンテンツパネル４２０を、第２方向のスワイプ入力に対しては第１コンテンツパネル４２０とは異なる第２コンテンツパネル４３０を提供することができる。このとき、第１コンテンツパネルでは、ユーザに親しみのあるテキスト中心のコンテンツやインタフェースを保持する反面、第２コンテンツパネルでは、新たな類型のコンテンツやインタフェースを適用することにより、新しさのある多様なユーザエクスペリエンスのインタフェースを実現することができる。
【００８３】
このように、本発明の実施形態によると、新たなユーザエクスペリエンスの情報提供インタフェースを提供することができ、画面間のより立体的な連結とより多様なインタラクションを可能にした情報提供インタフェースを提供することができる。
【００８４】
説明の簡明化のため、上記の実施形態では、スワイプは左右方向に行われ、サブページも左右方向に並んでいる例が説明されている。しかしながら本発明はそのような例に限定されず、他の方向及び並び方にも適用可能である。例えば、スワイプは上下方向に行われてもよい。サブページも上下方向に並んでいてもよい。２つ以上の方向に並ぶサブページが使用されてもよい。縦長のサブページだけでなく、横長のサブページが表示されてもよい。
【００８５】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００８６】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００８７】
実施形態に係る方法は、多様なコンピュータ手段によって実行可能なプログラム命令の形態で実現されてコンピュータ読み取り可能な媒体に記録されてよい。ここで、媒体は、コンピュータで実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００８８】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８９】
したがって、異なる実施形態であっても、特許請求の範囲と均等なものであれば、添付される特許請求の範囲に属する。
【符号の説明】
【００９０】
１２０：プロセッサ
２０１：感知部
２０２：インタフェース部
【図１】
2020187718.tif 000003
【図２】
2020187718.tif 000004
【図３】
2020187718.tif 000005
【図４】
2020187718.tif 000006
【図５】
2020187718.tif 000007
【図６】
2020187718.tif 000008
【図７】
2020187718.tif 000009
【図８】
2020187718.tif 000010
【図９】
2020187718.tif 000011
【図１０】
2020187718.tif 000012